(57)【要約】【課題】既存躯体とコンクリートで形成されている増設躯体を略棒状のシアキーを介して接合する躯体接合構造において、シアキーが設けられている箇所から増設躯体の延びる方向に割裂破壊が拡がることを抑制することができる。【解決手段】既存躯体１０とコンクリートで形成されている増設躯体２０とが略棒状のシアキー３０を介して接合され、増設躯体２０内のシアキー３０の部分の増設躯体２０の延びる方向における両側に、割裂防止筋４０が近接するようにして設けられる躯体接合構造であり、好ましくは増設躯体２０内のシアキー３０の部分の両側に割裂防止筋４０が当接して設けられる。【選択図】図３
2018178363.tif 000002
【特許請求の範囲】
【請求項１】
既存躯体とコンクリートで形成されている増設躯体とが略棒状のシアキーを介して接合され、
前記増設躯体内の前記シアキーの部分の前記増設躯体の延びる方向における両側に、割裂防止筋が近接するようにして設けられる
ことを特徴とする躯体接合構造。
【請求項２】
前記増設躯体内の前記シアキーの部分の両側に前記割裂防止筋が当接して設けられることを特徴とする請求項１記載の躯体接合構造。
【請求項３】
前記シアキーの部分の一方側に当接する前記割裂防止筋の第１の当接部と他方側に当接する前記割裂防止筋の第２の当接部とがバネ部を介して連結され、
前記バネ部の付勢により前記第１の当接部と前記第２の当接部が前記シアキーの部分の両側に当接されていることを特徴とする請求項２記載の躯体接合構造。
【請求項４】
前記増設躯体内の前記シアキーの部分の最大径が３０ｍｍ以上であることを特徴とする請求項１〜３の何れかに記載の躯体接合構造。
【請求項５】
前記シアキーが中実の略棒状で形成され、
前記シアキーの前記増設躯体への埋込長さが、前記シアキーの太径部若しくは３０ｍｍ以上の直径の前記シアキーの３倍以上であることを特徴とする請求項１〜４の何れかに記載の躯体接合構造。
【請求項６】
前記割裂防止筋の一部が前記増設躯体の内方に延びるようにして前記増設躯体に埋設されていることを特徴とする請求項１〜５の何れかに記載の躯体接合構造。
【請求項７】
請求項１〜６の何れかに記載の躯体接合構造の構築方法であって、
既存躯体の表面に設けられている仕上材を残した状態で前記シアキーを前記既存躯体に埋め込んで固定する第１工程と、
前記仕上材を残した状態で、前記既存躯体から突出する前記シアキーの部分の両側に割裂防止筋を近接配置し、前記増設躯体を構成するコンクリートを打設する第２工程
を備えることを特徴とする躯体接合構造の構築方法。
【請求項８】
既存躯体とコンクリートで形成されている増設躯体とが略棒状のシアキーを介して接合される構造で、
前記増設躯体内の前記シアキーの部分の前記増設躯体の延びる方向における両側に当接して設けられる割裂防止筋であって、
前記シアキーの部分の一方側に当接する第１の当接部と他方側に当接する第２の当接部とがバネ部を介して連結されている
ことを特徴とする割裂防止筋。
【発明の詳細な説明】
【技術分野】
【０００１】
本発明は、耐震補強等のために既存躯体に増設躯体を設置する際に増設躯体を既存躯体に接合する躯体接合構造及びその構築方法、並びに躯体接合構造に用いる割裂防止筋に関する。
【背景技術】
【０００２】
従来、既存躯体に増設躯体を接合する躯体接合構造として特許文献１の接合構造がある。特許文献１の接合構造は、既存躯体と増設躯体との間にシアキーとして棒状のアンカーを設け、アンカーに太径部と細径部を形成し、アンカーの細径部と太径部の一部を既存躯体側に配置し、太径部の残余部分を増設躯体側に配置したものである。この接合構造では、アンカーの細径部と太径部の一部を既存躯体側に配置することで既存躯体の鉄筋と干渉し難くし、既存躯体における施工性を高めている。
【０００３】
また、別の躯体接合構造として特許文献２の接合構造がある。この接合構造は、既存建物の柱、梁で囲まれた空間における対向面に管体のシアキーを埋設し、その管体がせん断力を受けた時に管体が回転するのを防止するために管体から連結筋を突設させて側圧を低減し、対向する連結筋にわたって鉄筋を配筋して壁を構築するものである。この接合構造では、埋設された管体が面外方向および面内方向の力に対して大きな抵抗となり、壁、柱、梁を強固に接合できると共に、仕上材の上から管体を埋設する穴をコアドリルで形成することにより騒音、振動、粉塵の発生を防止することができるとされている。
【先行技術文献】
【特許文献】
【０００４】
【特許文献１】特開２０１６−１０２４００号
【特許文献２】特開２００１−３１７２１５号
【発明の概要】
【発明が解決しようとする課題】
【０００５】
ところで、特許文献１のように、コンクリートで形成された増設躯体に棒状のシアキーを配置する躯体接合構造や、特許文献２のように管体のシアキーを配置する躯体接合構造では、シアキーが埋設されている箇所から割り裂く方向に力が発生し、増設躯体の延びる方向に裂けるようにして割裂破壊が発生することがある。そのため、このような割裂破壊を抑制できる躯体接合構造が求められている。
【０００６】
本発明は上記課題に鑑み提案するものであり、既存躯体とコンクリートで形成されている増設躯体を略棒状のシアキーを介して接合する躯体接合構造において、シアキーが設けられている箇所から増設躯体の延びる方向に割裂破壊が拡がることを抑制することができる躯体接合構造及びその構築方法、並びに躯体接合構造に用いる割裂防止筋を提供することを目的とする。
【課題を解決するための手段】
【０００７】
本発明の躯体接合構造は、既存躯体とコンクリートで形成されている増設躯体とが略棒状のシアキーを介して接合され、前記増設躯体内の前記シアキーの部分の前記増設躯体の延びる方向における両側に、割裂防止筋が近接するようにして設けられることを特徴とする。
これによれば、シアキーの両側に近接する割裂防止筋が増設躯体の延びる方向に割り裂こうとする力が発生した際にシアキーに当接し、増設躯体の延びる方向にコンクリートを割り裂こうとする力を効果的に低減し、シアキーが設けられている箇所から増設躯体の延びる方向にひび割れ、割裂破壊が拡がることを抑制することができる。シアキーがコンクリートを割り裂こうとする力は、シアキー近傍の方が大きいため、割裂防止筋をシアキーに近接することにより、シアキーがコンクリートを割り裂こうとする力を効果的に低減することができる。
【０００８】
本発明の躯体接合構造は、前記増設躯体内の前記シアキーの部分の両側に前記割裂防止筋が当接して設けられることを特徴とする。
これによれば、シアキーの両側に当接する割裂防止筋によって増設躯体の延びる方向にコンクリートを割り裂こうとする力を効果的に低減し、ひび割れや割裂破壊の発生を防止することができ、割裂破壊に対する耐力を一層高めることができる。また、シアキーの両側に生じる支圧応力によって、コンクリートが圧壊する支圧破壊に対しても、シアキーの両側に当接する割裂防止筋に支圧応力を分散させ、支圧耐力を増加させることができる。また、シアキーの両側に割裂防止筋を当接する構造では、シアキーと割裂防止筋の位置決めが容易となり、施工性を高めることができる。
【０００９】
本発明の躯体接合構造は、前記シアキーの部分の一方側に当接する前記割裂防止筋の第１の当接部と他方側に当接する前記割裂防止筋の第２の当接部とがバネ部を介して連結され、前記バネ部の付勢により前記第１の当接部と前記第２の当接部が前記シアキーの部分の両側に当接されていることを特徴とする。
これによれば、第１の当接部と第２の当接部で挟持するようにシアキーに当接させ、割裂防止筋をシアキーに仮止めすることができる。従って、割裂防止筋をシアキーに容易且つ確実に当接させることができると共に、先に既存躯体に配置されたシアキーに仮止めできるため、割裂防止筋を地組する必要性が無く、施工性を高めることができる。
【００１０】
本発明の躯体接合構造は、前記増設躯体内の前記シアキーの部分の最大径が３０ｍｍ以上であることを特徴とする。
これによれば、シアキーが太径である場合にはシアキーの設置本数を減らせる一方で、個々のシアキーの耐力が大きくなり割裂破壊が生じやすくなるが、このような太径のシアキーを用いた場合にも、シアキーが設けられている箇所から増設躯体の延びる方向にひび割れ、割裂破壊が拡がることを効果的に抑制することができる。
【００１１】
本発明の躯体接合構造は、前記シアキーが中実の略棒状で形成され、前記シアキーの前記増設躯体への埋込長さが、前記シアキーの太径部若しくは３０ｍｍ以上の直径の前記シアキーの３倍以上であることを特徴とする。
これによれば、中実の略棒状のシアキーは、管体と異なり内部へのコンクリート充填への配慮が不要で、増設躯体に十分な長さを容易に定着させることができる。また、シアキーを増設躯体に長く埋め込み、特許文献２の突設連結筋のような構造を用いずともシアキーの回転を防止することができる。
【００１２】
本発明の躯体接合構造は、前記割裂防止筋の一部が前記増設躯体の内方に延びるようにして前記増設躯体に埋設されていることを特徴とする。
これによれば、割裂防止筋の一部を増設躯体の内方に延びるように埋設することにより、増設躯体のコンクリートと割裂防止筋との一体性を増し、シアキーが設けられている箇所から増設躯体の延びる方向にひび割れ、割裂破壊が拡がることを一層抑制することができる。更に、増設躯体内のシアキーの部分の両側に割裂防止筋を当接する場合には、割裂破壊に対する耐力をより一層高めることができると共に、シアキーの両側に当接する割裂防止筋に支圧応力を分散させ、より広い面積で応力を受けることができるため、支圧耐力を一層増加させることができる。
【００１３】
本発明の躯体接合構造の構築方法は、本発明の躯体接合構造を構築する方法であって、既存躯体の表面に設けられている仕上材を残した状態で前記シアキーを前記既存躯体に埋め込んで固定する第１工程と、前記仕上材を残した状態で、前記既存躯体から突出する前記シアキーの部分の両側に割裂防止筋を近接配置し、前記増設躯体を構成するコンクリートを打設する第２工程を備えることを特徴とする。
これによれば、シアキーの両側に近接配置される割裂防止筋が増設側のコンクリートの損傷による変形を低減することができ、接合部の耐力だけではなく、剛性を増加することができる。したがって、通常は吹付タイル等の強度の低い仕上材が既存躯体の表面にある場合、仕上材の部分におけるシアキーの変形が大きく、既存躯体から増設躯体へせん断力を伝達することができないため、仕上材を除去して既存躯体の表面を目荒らし、既存躯体と増設躯体の一体性を高める処理を行う必要があるが、例えば径３０ｍｍ以上のシアキーを用い、更に両側に近接配置される割裂防止筋を用いることにより、既存躯体と増設躯体の接合部のずれ方向の剛性が増大し、仕上材の除去処理を無くす或いは最小限に留めることや、既存躯体の表面を目荒らしする工程を無くすことが可能となり、躯体接合の施工性をより一層高め、施工時の騒音、振動を低減することができ、又、工期短縮を図ることができる。
【００１４】
本発明の割裂防止筋は、既存躯体とコンクリートで形成されている増設躯体とが略棒状のシアキーを介して接合される構造で、前記増設躯体内の前記シアキーの部分の前記増設躯体の延びる方向における両側に当接して設けられる割裂防止筋であって、前記シアキーの部分の一方側に当接する第１の当接部と他方側に当接する第２の当接部とがバネ部を介して連結されていることを特徴とする。
これによれば、シアキーの両側に割裂防止筋を当接させることによって増設躯体の延びる方向にコンクリートを割り裂こうとする力を効果的に低減し、ひび割れや割裂破壊の発生を防止することができ、割裂破壊に対する耐力を一層高めることができる。また、シアキーの両側に生じる支圧応力によって、コンクリートが圧壊する支圧破壊に対しても、シアキーの両側に割裂防止筋を当接させることで支圧応力を分散させ、支圧耐力を増加させることができる。また、バネ部を介して連結される第１の当接部と第２の当接部で挟持するようにシアキーに当接させ、割裂防止筋をシアキーに仮止めし、容易に位置決めすることができる。従って、割裂防止筋をシアキーに容易且つ確実に当接させることができると共に、先に既存躯体に配置されたシアキーに仮止めできるため、割裂防止筋を地組する必要性が無く、施工性を高めることができる。
【発明の効果】
【００１５】
本発明によれば、既存躯体とコンクリートで形成されている増設躯体を略棒状のシアキーを介して接合する躯体接合構造において、シアキーが設けられている箇所から増設躯体の延びる方向に割裂破壊が拡がることを抑制することができる。
【図面の簡単な説明】
【００１６】
【図１】（ａ）は本発明による第１実施形態の躯体接合構造で設置された増設壁と既存躯体の柱及び梁を示す正面図、（ｂ）は同図（ａ）の縦断面図。
【図２】図１（ａ）の左隅部近傍の部分拡大図。
【図３】（ａ）は第１実施形態の躯体接合構造の部分正面図、（ｂ）はその部分縦断説明図、（ｃ）はその部分横断説明図。
【図４】（ａ）は第１実施形態の躯体接合構造の第１施工例を説明する説明図、（ｂ）は第１実施形態の躯体接合構造の第２施工例を説明する説明図。
【図５】（ａ）はシアキーと割裂防止筋が離れている比較例の躯体接合構造におけるせん断力の作用を説明する正面説明図、（ｂ）は同図（ａ）の比較例における割裂破壊を説明する平面説明図、（ｃ）は同図（ａ）の比較例における支圧破壊を説明する平面説明図。
【図６】本発明による第２実施形態の躯体接合構造におけるシアキーと割裂防止筋を示す斜視図。
【図７】本発明による第３実施形態の躯体接合構造におけるシアキーと割裂防止筋を示す斜視図。
【図８】（ａ）は本発明による第４実施形態の躯体接合構造におけるシアキーと割裂防止筋を示す分解斜視図、（ｂ）はその斜視図。
【図９】（ａ）は本発明による第５実施形態の躯体接合構造におけるシアキーと割裂防止筋を示す分解斜視図、（ｂ）はその斜視図。
【図１０】本発明による第６実施形態の躯体接合構造の部分縦断説明図。
【図１１】本発明による第７実施形態の躯体接合構造の部分縦断説明図。
【図１２】第１実施形態の躯体接合構造で設置された増設壁と仕上材を表面に有する既存躯体の柱及び梁を示す正面図。
【図１３】第１実施形態の躯体接合構造で設置された増設床と既存躯体の柱及び梁を示す平面図。
【発明を実施するための形態】
【００１７】
〔第１実施形態の躯体接合構造〕
本発明による第１実施形態の躯体接合構造は、図１〜図３に示すように、例えば柱１１と梁１２で構成される既存躯体１０において柱１１と梁１２で囲まれる空間に増設壁を増設躯体２０として設け、既存躯体１０と増設躯体２０とをせん断力を伝達する略棒状のシアキー３０を介して接合するものである。既存躯体１０はコンクリートで形成され、その内部には配筋１３が埋設されている。増設躯体２０もコンクリートで形成され、その内部には縦横に配筋２１が埋設されている。
【００１８】
第１実施形態におけるシアキー３０は、中実の略棒状であり、柱状の太径部３１と、太径部３１よりも径が小さい柱状の細径部３２を有する段付き形状であり、太径部３１の一方の端面から突出するように細径部３２が形成され、例えば丸鋼や異形鉄筋などの鋼材等で形成されている。シアキー３０は、その細径部３２と太径部３１の一部が既存躯体１０に埋め込むように固定され、太径部３１の残部が増設躯体２０に埋め込むように固定されて、既存躯体１０と増設躯体２０を接合する。
【００１９】
シアキー３０の太径部３１の一部は、既存躯体１０に埋め込んだ状態で既存躯体１０の配筋１３の位置まで到達しない長さで形成され、配筋１３に干渉しないように既存躯体１０に埋設されている。シアキー３０の細径部３２は、既存躯体１０に埋め込んだ状態で既存躯体１０の配筋１３よりも深い位置まで延びる長さで形成され、既存躯体１０の配筋１３の間に入って配筋１３よりも深い位置まで延びるように埋設されている。この既存躯体１０に埋設される太径部３１の一部の埋込長さは例えば２０〜３０ｍｍ、細径部３２の埋込長さは例えば６０ｍｍ以上とすると良好である。
【００２０】
シアキー３０は、増設躯体２０である増設壁の外周に所定間隔を開けて設置され、各設置個所で既存躯体１０と増設躯体２０に埋込固定され、既存躯体１０と増設躯体２０を接合している。尚、個々のシアキー３０の耐力を大きくし、シアキー３０の設置本数を減らす観点からは、シアキー３０の太径部３１の径を３０ｍｍ以上とする等、増設躯体３０内に埋め込まれるシアキー３０の部分の最大径を３０ｍｍ以上とすると好適である。また、シアキー３０のせん断力による転倒を確実に防止する観点から、シアキー３０の増設躯体２０への埋込長さは太径部３１の直径の３倍以上とすると好適であり、３倍〜５倍程度とするとより好適である。
【００２１】
増設躯体２０の内部には略Ｕ字形状の割裂防止筋４０が設けられている。割裂防止筋４０は、増設躯体２０内のシアキー３０の部分に相当する太径部３１に対し、増設躯体２０の延びる方向における太径部３１の両側に太径部３１に近接するように設けられ、本実施形態では増設躯体２０内の太径部３１の両側に一対の割裂防止筋４０・４０が当接して設けられている。略Ｕ字形状の割裂防止筋４０の一部は、増設躯体２０の内方に延びるように設けられる延在部４２になっており、割裂防止筋４０は、シアキー３０と当接する架橋部４１を外側（柱１１又は梁１２側）、延在部４２を内側（増設躯体２０の中心側）にして増設躯体２０に埋設されている。
【００２２】
割裂防止筋４０を設置する際には、例えば図４（ａ）に示すように、既存躯体１０の打継ぎ面にシアキー３０を打ち込んで増設躯体２０の配筋２１を配置した後、図示の矢印のように割裂防止筋４０を横向きにして差し込み、回転させてシアキー３０に当接する所定位置に配置し、その後、型枠を設置してコンクリートを打設し、増設躯体２０内に所定位置で割裂防止筋４０を設置することが可能である。
【００２３】
また、別例として図４（ｂ）のように、割裂防止筋４０がシアキー３０に当接するように実線で示すシアキー３０と割裂防止筋４０を地組して結束線等で仮止めし、その状態でシアキー３０を既存躯体１０の打継ぎ面に打ち込んで固定し、その後、配筋２１を施してから型枠を設置してコンクリートを打設し、増設躯体２０内に所定位置で割裂防止筋４０を設置することが可能である。
【００２４】
第１実施形態によれば、シアキー３０の両側に近接する割裂防止筋４０が増設躯体２０の延びる方向に割り裂こうとする力が発生した際にシアキー３０に当接し、増設躯体２０の延びる方向にコンクリートを割り裂こうとする力を効果的に低減し、シアキー３０が設けられている箇所から増設躯体２０の延びる方向にひび割れ、割裂破壊が拡がることを抑制することができる。特に、増設躯体２０内のシアキー３０の部分の最大径が３０ｍｍ以上でシアキー３０が太径である場合には、シアキー３０の設置本数を減らせる一方で、個々のシアキー３０の耐力が大きくなり割裂破壊が生じやすくなるが、このような太径のシアキー３０を用いた場合にも、シアキー３０が設けられている箇所から増設躯体２０の延びる方向にひび割れ、割裂破壊が拡がることを抑制することができる。更に、第１実施形態では、シアキー３０の両側に割裂防止筋４０を当接させることにより、増設躯体２０の延びる方向にコンクリートを割り裂こうとする力を低減し、ひび割れや割裂破壊の発生を防止することができ、割裂破壊に対する耐力を一層高めることができる。
【００２５】
また、シアキー３０の両側に割裂防止筋４０を当接させることにより、シアキー３０の両側に生じる支圧応力により、コンクリート製の増設躯体２０のシアキー側部のコンクリートが圧壊する支圧破壊に対し、シアキー３０の両側に当接する割裂防止筋４０に圧壊力、支圧応力を分散させ、支圧耐力を増加させることができる。また、シアキー３０の両側に割裂防止筋４０を当接する構造では、シアキー３０と割裂防止筋４０の位置決めが容易となり、施工性を高めることができる。
【００２６】
付言すると、図５のように、シアキー３０の両側に割裂防止筋４０と同形状の幅止め筋４を近接せずに離して配置した躯体接合構造では、図５（ａ）の太線矢印のせん断力がシアキー３０に作用した際に、図５（ｂ）の太線矢印のように割り裂こうとする力が発生し、ひび割れ、割裂破壊が拡がり易くなり、又、図５（ｃ）の太線矢印のようにシアキー３０の支圧応力でコンクリートの圧壊による支圧破壊が発生し易くなる。
【００２７】
また、割裂防止筋４０の一部である延在部４２を増設躯体２０の内方に延びるように埋設することにより、コンクリートと割裂防止筋との一体性を増すことができ、シアキー３０が設けられている箇所から増設躯体２０の延びる方向にひび割れ、割裂破壊が拡がることを一層抑制することができる。また、割裂防止筋４０が増設躯体２０に配筋された既存躯体１０に最も近い横筋の鉄筋２１ａの外側で増設躯体２０の内方に延びる場合、鉄筋２１ａが割裂防止筋４０により拘束され、シアキー３０が設けられている箇所から増設躯体２０の延びる方向にひび割れ、割裂破壊が拡がることを更に抑制することができる。また、増設躯体２０に配筋された縦筋の鉄筋２１ｂは、増設躯体２０の端部で止まっているため、この部分では鉄筋とコンクリートの一体性が低く、増設躯体２０の打継ぎ面に近い部分はせん断破壊を生じやすいが、割裂防止筋４０の一部である延在部４２を増設躯体２０の内方に延びるように埋設することにより、鉄筋２１ｂとコンクリートの一体性が低い部分を補強することができ、増設躯体２０のせん断耐力を増加させることができる。更に、増設躯体２０内のシアキー３０の部分の両側に割裂防止筋４０を当接する構造では、シアキー３０の両側に当接する延在部４２を有する割裂防止筋４０に支圧応力を分散させ、より広い面積で応力を受けることができるため、支圧耐力を一層増加させることができる。
【００２８】
また、例えば特許文献２の管体をシアキーとして用いる構成では、管体を長くすると増設躯体のコンクリート打設時に、管体内へコンクリートが十分に充填されない可能性があるため、管体を必要な長さだけ増設躯体２０側へ延伸させることが難しい。そのため、シアキーがせん断力を受けた時に生じるシアキーの回転を防止するために、突設連結筋を用いている。この突設連結筋は、シアキーの回転変形を低減させることが主な目的であり、割裂防止筋４０のように、割裂防止のためにコンクリートを拘束する効果や、支圧力を受ける面積を増加させる効果はない。一方、シアキー３０は、管状ではなく中実の略棒状であるため、増設躯体２０に十分な長さを定着させることが容易にでき、更に、シアキー３０の長さを長くしてシアキー３０の増設躯体２０への埋込長さを３０ｍｍ以上の太径部３１の３倍以上とすることにより、突設連結筋を不要とし且つシアキーを構成する管体へのコンクリート充填に対する施工管理を無くし、シアキー３０の回転を防止することができる。即ち、シアキー３０の回転はシアキー３０の長さを長くすることで防止し、それに加えて、割裂防止筋４０により、増設躯体２０の割裂破壊の防止、支圧耐力の増加、増設躯体２０のせん断耐力の増加といった効果を期待することができるため、シアキー３０と割裂防止筋４０の組み合わせによって既存躯体１０と増設躯体２０をより強固に接続することができ、非常に効果的な耐震補強が実現される。
【００２９】
〔第２実施形態の躯体接合構造〕
本発明による第２実施形態の躯体接合構造及びその構成部材は、シアキー３０ａが異なること以外は第１実施形態と同様である。第２実施形態におけるシアキー３０ａは、図６に示すように、全長に亘って略同一の外径を有する棒状であり、図示例では円柱形になっており、例えば丸鋼等で形成されている。ただし、異形棒鋼のように全く同一の外形ではない構成とすることも可能である。また、シアキー３０ａは、その一部が既存躯体１０に埋め込むように固定され、残部が増設躯体２０に埋め込むように固定されて既存躯体１０と増設躯体２０を接合する。シアキー３０ａには、埋め込まれた状態の増設躯体２０の内部において、その両側に割裂防止筋４０が近接するように設けられ、好適には両側に割裂防止筋４０が当接して設けられる。
【００３０】
尚、個々のシアキー３０ａの耐力を大きくし、シアキー３０ａの設置本数を減らす観点からは、シアキー３０ａの直径を３０ｍｍ以上とすると好適である。また、シアキー３０ａのせん断力による転倒を確実に防止する観点から、シアキー３０ａの増設躯体２０への埋込長さはシアキー３０ａの直径の３倍以上とすると好適であり、３倍〜５倍程度とするとより好適である。
【００３１】
第２実施形態によれば、第１実施形態と対応する構成から第１実施形態と対応する効果を得ることができる。
【００３２】
〔第３実施形態の躯体接合構造〕
本発明による第３実施形態の躯体接合構造及びその構成部材は、割裂防止筋４０ｂが異なること以外は第２実施形態と同様である。第３実施形態における割裂防止筋４０ｂは、図７に示すように、第１実施形態の略Ｕ字形状の割裂防止筋４０・４０をバネ部４３ｂを介して連結した形状を呈しており、先端側の延在部４４ｂ・４４ｂと、バネ部４３ｂ側の延在部４５ｂ・４５ｂと、延在部４４ｂと延在部４５ｂとの間を架橋する第１実施形態の割裂防止筋４０の架橋部４１に対応する部分である当接部４６ｂ・４６ｂと、延在部４５ｂ・４５ｂの根元側を連結する略弧状のバネ部４３ｂから構成される。延在部４４ｂと延在部４５ｂとの間の間隔は、シアキー３０ａの直径より僅かに小さく形成されている。
【００３３】
割裂防止筋４０ｂの一対の当接部４６ｂ・４６ｂの間に配置されたシアキー３０ａは、バネ部４３ｂの付勢により、当接部４６ｂ・４６ｂで挟持され、両側から当接部４６ｂ・４６ｂがシアキー３０ａに当接するようになっている。そして、増設躯体２０の内部において、増設躯体２０の延びる方向のシアキー３０ａの両側に当接部４６ｂ・４６ｂが当接した状態で、増設躯体２０及び躯体接合構造が構築される。
【００３４】
第３実施形態によれば、第２実施形態と対応する構成から第２実施形態と対応する効果を得ることができる。更に、第１の当接部４６ｂと第２の当接部４６ｂで挟持するようにシアキー３０ａに当接させ、割裂防止筋４０ｂをシアキー３０ａに仮止めすることができる。従って、割裂防止筋４０ｂをシアキー３０ａに容易且つ確実に当接させることができると共に、先に既存躯体１０に配置されたシアキー３０ａに仮止めできるため、割裂防止筋４０ｂを地組する必要性が無く、施工性を高めることができる。
【００３５】
〔第４実施形態の躯体接合構造〕
本発明による第４実施形態の躯体接合構造及びその構成部材は、割裂防止筋４０ｃが異なること以外は第２実施形態と同様である。第４実施形態における割裂防止筋４０ｃは、図８に示すように、先端側の延在部４７ｃ・４７ｃと、延在部４７ｃから略Ｌ字状に屈曲して設けられる当接部４８ｃ・４８ｃと、当接部４８ｃ・４８ｃの根元側を連結する略弧状のバネ部４９ｃから構成される。
【００３６】
割裂防止筋４０ｃの一対の当接部４８ｃ・４８ｃの間に配置されたシアキー３０ａは、バネ部４９ｃの付勢により、当接部４８ｃ・４８ｃで挟持され、両側から当接部４８ｃ・４８ｃがシアキー３０ａに当接するようになっている。そして、増設躯体２０の内部において、増設躯体２０の延びる方向のシアキー３０ａの両側に当接部４８ｃ・４８ｃが当接した状態で、増設躯体２０及び躯体接合構造が構築される。尚、図示例では、一対の割裂防止筋４０ｃ・４０ｃが逆方向からシアキー３０ａに外嵌めされ、各々の割裂防止筋４０ｃの当接部４８ｃ・４８ｃが増設躯体２０の延びる方向のシアキー３０ａの両側に当接するようになっている。
【００３７】
第４実施形態によれば、第３実施形態と対応する構成から第３実施形態と対応する効果を得ることができる。
【００３８】
〔第５実施形態の躯体接合構造〕
本発明による第５実施形態の躯体接合構造及びその構成部材は、割裂防止筋４０ｄが異なること以外は第２実施形態と同様である。第５実施形態における割裂防止筋４０ｄは、図９に示すように、第４実施形態の割裂防止筋４０ｃの延在部４７ｃ・４７ｃを無くした形状を呈する略Ｕ字形状であり、当接部４８ｄ・４８ｄと、当接部４８ｄ・４８ｄの根元側を連結する略弧状のバネ部４９ｄから構成される。
【００３９】
割裂防止筋４０ｄの一対の当接部４８ｄ・４８ｄの間に配置されたシアキー３０ａは、バネ部４９ｄの付勢により、当接部４８ｄ・４８ｄで挟持され、両側から当接部４８ｄ・４８ｄがシアキー３０ａに当接するようになっている。そして、増設躯体２０の内部において、増設躯体２０の延びる方向のシアキー３０ａの両側に当接部４８ｄ・４８ｄが当接した状態で、増設躯体２０及び躯体接合構造が構築される。尚、図示例では、一対の割裂防止筋４０ｄ・４０ｄが逆方向からシアキー３０ａに外嵌めされ、各々の割裂防止筋４０ｄの当接部４８ｄ・４８ｄが増設躯体２０の延びる方向のシアキー３０ａの両側に当接するようになっている。
【００４０】
第５実施形態によれば、延在部４７ｃに起因する効果以外、第４実施形態と対応する構成から第４実施形態と対応する効果を得ることができる。
【００４１】
〔第６実施形態の躯体接合構造〕
本発明による第６実施形態の躯体接合構造及びその構成部材は、シアキー３０ｅが異なること以外は第３実施形態と同様である。第６実施形態におけるシアキー３０ｅは、図１０に示すように、細長棒状の鉄筋で構成されている。
【００４２】
割裂防止筋４０ｂの一対の当接部４６ｂ・４６ｂの間に配置されたシアキー３０ｅは、バネ部４３ｂの付勢により、当接部４６ｂ・４６ｂで挟持され、両側から当接部４６ｂ・４６ｂがシアキー３０ｅに当接するようになっている。そして、増設躯体２０の内部において、増設躯体２０の延びる方向のシアキー３０ｅの両側に当接部４６ｂ・４６ｂが当接した状態で、増設躯体２０及び躯体接合構造が構築される。
【００４３】
第６実施形態によれば、第３実施形態と対応する構成から第３実施形態と対応する効果を得ることができる。
【００４４】
〔第７実施形態の躯体接合構造〕
本発明による第７実施形態の躯体接合構造及びその構成部材は、シアキー３０ｆが異なること以外は第５実施形態と同様である。第７実施形態におけるシアキー３０ｆは、図１１に示すように、細長棒状の鉄筋３３ｆを鋼管３４ｆに通して構成されている。
【００４５】
割裂防止筋４０ｄの一対の当接部４８ｄ・４８ｄの間に配置されたシアキー３０ｆは、バネ部４９ｄの付勢により、当接部４８ｄ・４８ｄで挟持され、両側から当接部４８ｄ・４８ｄがシアキー３０ｆの鋼管３４ｆに当接するようになっている。増設躯体２０の内部において、増設躯体２０の延びる方向のシアキー３０ｆの両側に当接部４８ｄ・４８ｄが当接した状態で、増設躯体２０及び躯体接合構造が構築される。尚、図示例では、一対の割裂防止筋４０ｄ・４０ｄが逆方向からシアキー３０ｆに外嵌めされ、各々の割裂防止筋４０ｄの当接部４８ｄ・４８ｄが増設躯体２０の延びる方向のシアキー３０ｆの鋼管３４ｆの両側に当接するようになっている。
【００４６】
第７実施形態によれば、第５実施形態と対応する構成から第５実施形態と対応する効果を得ることができる。
【００４７】
〔本明細書開示発明の包含範囲〕
本明細書開示の発明は、発明として列記した各発明、各実施形態の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００４８】
例えば第１実施形態の図示例では、既存躯体１０の仕上材のない表面に増設躯体２０である増設壁を構築する場合を示したが、図１２に示すように、既存躯体１０の表面に仕上材５０が残った状態で増設躯体２０を構築する構造も本発明に含まれる。図１２の躯体接合構造の構築では、例えば既存躯体１０の表面に設けられている強度の低い吹付タイル、モルタル等の仕上材５０を残した状態でシアキー３０等を既存躯体１０に埋め込んで固定する。この際、仕上材５０の厚みが厚過ぎる場合には、５０ｍｍ以下、より好適には３０ｍｍ以下に事前処理することが好ましい。その後、仕上材５０を残した状態で、既存躯体１０から突出するシアキー３０等の部分の両側に割裂防止筋４０等を近接配置し、増設躯体２０を構成するコンクリートを打設して躯体接合構造を得る。
【００４９】
通常あと施工アンカーとして用いられる直径２０ｍｍ程度までのシアキーでは吹付タイルや仕上げモルタル等の強度の低い仕上材が既存躯体の表面にある場合、仕上材部分でのシアキーの剛性が低いため、既存躯体から増設躯体へのせん断力の伝達ができない。そのため、仕上材を除去して既存躯体の表面を目荒らし、既存躯体と増設躯体の一体性を高める処理を行う必要があるが、本発明では、例えば径３０ｍｍ以上のシアキーを用い、割裂補強筋を近接させることで仕上材の除去処理を無くす或いは最小限に留めることや、既存躯体の表面を目荒らしする工程を無くすことが可能となり、躯体接合の施工性をより一層高め、施工時の騒音、振動を低減することができる。また工期短縮を図ることができる。
【００５０】
また、第１実施形態の図示例では、既存躯体１０の柱１１と梁１２で構成される空間に増設躯体２０として増設壁を形成する例を示したが、本発明における既存躯体１０と増設躯体２０は適宜であり、例えば図１３に示すように、既存躯体１０の梁１２で囲まれる空間に増設躯体２０として増設床を形成し、既存躯体１０と増設床である増設躯体２０をシアキー３０等で接合し、そのシアキー３０等の増設床の延びる方向における両側に割裂防止筋４０等を近接或いは当接して設ける場合も本発明に含まれる。その他、例えば増設躯体２０を増設梁、或いは外付補強鉄骨フレームのコンクリート接合部等とする場合も本発明に含まれる。
【産業上の利用可能性】
【００５１】
本発明は、例えば耐震補強のために既存躯体に増設躯体を接合する際に利用することができる。
【符号の説明】
【００５２】
１０…既存躯体  １１…柱  １２…梁  １３…配筋  ２０…増設躯体  ２１…配筋  ２１ａ、２１ｂ…鉄筋  ３０、３０ａ、３０ｅ、３０ｆ…シアキー  ３１…太径部  ３２…細径部  ３３ｆ…鉄筋  ３４ｆ…鋼管  ４０、４０ｂ、４０ｃ、４０ｄ…割裂防止筋  ４１…架橋部  ４２…延在部  ４３ｂ…バネ部  ４４ｂ、４５ｂ…延在部  ４６ｂ…当接部  ４７ｃ…延在部  ４８ｃ、４８ｄ…当接部  ４９ｃ、４９ｄ…バネ部  ４…幅止め筋  ５０…仕上材
【図１】
2018178363.tif 000003
【図２】
2018178363.tif 000004
【図３】
2018178363.tif 000005
【図４】
2018178363.tif 000006
【図５】
2018178363.tif 000007
【図６】
2018178363.tif 000008
【図７】
2018178363.tif 000009
【図８】
2018178363.tif 000010
【図９】
2018178363.tif 000011
【図１０】
2018178363.tif 000012
【図１１】
2018178363.tif 000013
【図１２】
2018178363.tif 000014
【図１３】
2018178363.tif 000015